(57)【要約】【課題】本発明は照明分野に関し、特に、電磁エネルギーを生成し蛍光パウダを活性化して発光させる磁気エネルギーランプ用電球に関する。【解決手段】この電球は、ガスの充填および引き抜きが可能な密閉チャンバを有する本体部と、本体部に設けられた１つ以上の貫通穴と、チャンバの内面に塗布された蛍光パウダと、を備える。高周波磁気エネルギー電磁共振原理に基づいて、磁石が、従来のフィラメントに代わって貫通穴に設けられる。本発明による電球は、構造がシンプルで、使い易く、製造が容易であり、かつコストが安いという利点を有している。しかも電磁誘導力は２〜４倍向上する。【選択図】図１
2008533670.tif 000002
【特許請求の範囲】
【請求項１】
ガスの充填および引き抜きが可能な密閉チャンバを有する本体部と、
前記本体部に設けられた１つ以上の貫通穴と、
前記チャンバの内面に塗布された蛍光パウダと、
を備えることを特徴とする磁気エネルギー電球。
【請求項２】
前記本体部には、前記チャンバと連通する小型ガラス管が設けられていることを特徴とする請求項１に記載の磁気エネルギー電球。
【請求項３】
前記小型ガラス管は、前記チャンバ内へ伸びていることを特徴とする請求項２に記載の磁気エネルギー電球。
【請求項４】
前記本体部には、ガス導入管が設けられていることを特徴とする請求項１に記載の磁気エネルギー電球。
【請求項５】
前記本体部の一端には、１つの貫通穴が設けられていることを特徴とする請求項１に記載の磁気エネルギー電球。
【請求項６】
前記貫通穴は、前記本体部の両端に設けられ、それぞれの端部に１つ以上の貫通穴が設けられていることを特徴とする請求項１に記載の磁気エネルギー電球。
【請求項７】
前記本体部は、球状、偏球状、矩形状、円筒状、楕円状、平板状、リング状、またはチューブ状に形成されていることを特徴とする請求項１から６のいずれかに記載の磁気エネルギー電球。
【請求項８】
前記貫通穴は、円状、偏円状、矩形状あるいは多角形状に形成されていることを特徴とする請求項１から６のいずれかに記載の磁気エネルギー電球。
【請求項９】
前記本体部には１本以上の前記小型ガラス管が設けられていることを特徴とする請求項２または３に記載の磁気エネルギー電球。
【発明の詳細な説明】
【技術分野】
【０００１】
本発明は照明器具に関し、特に、貫通穴を有し、内部の蛍光パウダが電界により誘導生成される磁気エネルギーによって活性化されて蛍光パウダを介して発光する磁気エネルギー電球に関する。
【背景技術】
【０００２】
従来の電球と言えば、主に白熱電球と節電型電球とを指す。これらの電球はガスが充填されたチャンバを有し、その中に電気的に発光するフィラメントが設けられている。一般的に、前記の２つの電球の耐用年数は主にフィラメントに依存する。従って、これらの電球の耐用年数をいかに延ばすかは、主にフィラメントに依存する。
【発明の開示】
【発明が解決しようとする課題】
【０００３】
磁気エネルギー電球は、高周波磁気エネルギー電磁共振の原理によって作動するものであって、蛍光パウダを活性化させて発光させるために予備加熱される蛍光電極を主に備えたＬＣ直列共振フィラメントを有する蛍光電球における従来のフィラメント発光原理とは異なる。
【０００４】
磁気エネルギー電球は、発光量をほとんど減衰させることなく、高い発光効率を実現する。従来の電球と比較して、発光効率は２０％高く、耐用年数は１６倍、節電効率は最高で３５−４５％程度向上する。磁気エネルギー電球の入力電力は、６Ｗから１，５００Ｗの範囲で制御できる。
【０００５】
そこで、本発明の目的は、耐用年数の長い磁気エネルギー電球を提供し、従来技術における欠点を克服することにある。
【課題を解決するための手段】
【０００６】
本発明による磁気エネルギー電球は、従来のフィラメントを有する蛍光灯や蛍光電球と違い、電球内の蛍光パウダを活性化させて発光させる高周波磁気エネルギー電磁共振の原理により作動する。
【０００７】
上記の目的を達成するために、本発明は、ガスの充填および引き抜きが可能な密閉チャンバを有する本体部と、前記チャンバに設けられた１つ以上の貫通穴と、前記チャンバの内面に塗布された蛍光パウダと、を備えた磁気エネルギー電球を提供する。
【０００８】
前記本体部には、前記チャンバに連通する小型ガラス管が設けられている。前記小型ガラス管は前記チャンバ内に伸びており、内部には水銀を備えている。チャンバ内へのガス充填と引き抜きを行うためのガス導入管が前記本体部に取り付けられている。
【０００９】
本発明において、貫通穴の位置が前記本体部の一端に画定されてもよい。
【００１０】
本発明において、２つの貫通穴が、前記本体部の両端にそれぞれ設けられてもよい。
【００１１】
本発明において、前記電球は、球状、偏球状、矩形状、円筒状、楕円状、平板状、リング状、またはチューブ状に形成されてもよい。
【００１２】
本発明において、前記貫通穴が、円形状、偏円状、矩形状、または多角形状に形成されてもよい。
【００１３】
本発明おいて、１本以上の小型ガラス管が前記本体部に設けられてもよい。
【発明の効果】
【００１４】
本発明による電球は、従来技術と比較して、構造がシンプルで使い易く、製造が容易であり、かつコストが安いという利点を有している。しかも、電磁誘導力は２〜４倍向上する。
【発明を実施するための最良の形態】
【００１５】
図１および図２に示すように、本発明の第１の実施形態における磁気エネルギー電球は、ガス充填およびガス引き抜きが可能な密閉チャンバを有する本体部１を備える。
【００１６】
本体部１には、一端部に貫通穴２が設けられている。本体部１のチャンバの内面には、蛍光パウダ３が塗布されている。貫通穴２には磁石が挿通されている。この電球が点灯するときには、エネルギー消費量の大きなフィラメントを有する従来の電球と違い、高周波磁気エネルギー電磁共振の原理により光を放射する。
【００１７】
本発明では、２本の小型ガラス管５および１本のガス導入管６が本体部に設けられている。ガラス管５の各々は、一端がチャンバ内に伸びてチャンバと連通し、内部に水銀を有している。ガス導入管６を介して、本体部内のチャンバへのガス充填、あるいはチャンバからのガス引き抜きが行われる。
【００１８】
図３および図４に示すように、本発明の第２の実施形態による磁気エネルギー電球は、ガス充填およびガス引き抜きが可能な密閉チャンバを有する本体部１を備える。本体部の両端部の各々には、２つの貫通穴２がそれぞれ設けられている。チャンバの内面には、蛍光パウダが塗布されている。
【００１９】
図５に示すように、本発明の第３の実施形態による磁気エネルギー電球は、ガス充填およびガス引き抜きが可能な密閉チャンバを有する本体部１を備える。本体部１は両端に６つの貫通穴２を備え、各端部にそれぞれ３つの貫通穴２を有している。チャンバの内面には、蛍光パウダが塗布されている。
【００２０】
図６は、本発明による電球の貫通穴を挿通する磁石を示す概略図である。磁気エネルギー電球は、ガス充填およびガス引き抜きが可能な密閉チャンバを有する本体部１を備える。本体部の一端には、貫通穴２が設けられている。チャンバの内面には、蛍光パウダが塗布されている。高周波磁気エネルギー電磁共振原理に基づいて、従来のフィラメントに代わって磁石４が貫通穴２に挿通されている。本発明が作用するところでは、従来のフィラメントに代わって、磁石４が、高周波磁気エネルギー電磁共振の原理に基づいて貫通穴２に設けられる。
【００２１】
こうして、磁気エネルギー電球は、発光量をほとんど減衰させることなく、発光効率を２０％向上させることができる。また、耐用年数を１６倍延ばすことができ、節電効率を最高で３５−４５％程度向上させることができる。また、磁気エネルギー電球の入力電力は、６Ｗから１，５００Ｗの範囲で制御することができる。
【００２２】
本発明において、貫通穴を本体部の一端に設けてもよく、また、１つ以上の貫通穴２を本体部の一端に設けてもよい。複数の貫通穴を本体部の各々の端部に設けてもよく、また１つ以上の貫通穴をそれぞれの端部に設けてもよい。
【００２３】
本発明に係る磁気エネルギー電球は、球状、偏球状、矩形状、円筒状、楕円状、平板状、リング状や、チューブ状、または不規則形状に形成されてもよい。また貫通穴は、円形状、偏円状、矩形状などの多角形状、あるいは不規則形状に形成されてもよい。
【図面の簡単な説明】
【００２４】
【図１】本発明の第１の実施形態に係る磁気エネルギー電球の概略図である。
【図２】図１に示す電球の側断面図である。
【図３】本発明の第２の実施形態に係る磁気エネルギー電球の概略図である。
【図４】図３に示す電球の側断面図である。
【図５】本発明の第３の実施形態に係る磁気エネルギー電球の概略図である。
【図６】本発明による電球の貫通穴を挿通する磁石を示す概略図である。
【符号の説明】
【００２５】
１  本体部、  ２  貫通穴、  ３  蛍光パウダ、  ４  磁石、  ５  ガラス管、  ６  ガス導入管。
【図１】
2008533670.tif 000003
【図２】
2008533670.tif 000004
【図３】
2008533670.tif 000005
【図４】
2008533670.tif 000006
【図５】
2008533670.tif 000007
【図６】
2008533670.tif 000008
【国際調査報告】
2008533670.tif 000009
2008533670.tif 000010
2008533670.tif 000011
2008533670.tif 000012